(57)【特許請求の範囲】
【請求項１】
荷台を上部から開閉可能に覆うウイングが設けられてなるウイング車の煽りに取り付けられ、閉じた状態のウイングの縁部に突設されている係止舌片を押えて当該ウイングの開放をロックするように構成されたウイングロック装置であって、上記煽りに固定されるベースプレートと、このベースプレートの上部に設けられた水平方向に延びる連結ピン回りに回動してベースプレートに密着した垂直姿勢と下部がベースプレートから離間した傾斜姿勢との間で姿勢変更可能に当該ベースプレートに装着された操作プレートと、この操作プレートの回動操作により当該操作プレートから進退して上記係止舌片に係脱する押え部材を備えた舌片係脱機構とが備えられ、上記舌片係脱機構は、操作プレートが傾斜姿勢に姿勢設定された状態で上記押え部材が退行する一方、操作プレートを垂直姿勢に姿勢変更するに際し、押え部材の進行と、押え部材の退行位置への留保とのいずれか一方を選択的に設定し得るように構成されていることを特徴とするウイングロック装置。
【請求項２】
上記操作プレートは、上記押え部材を挟むように設けられた一対のアームからなる二股部を有し、上記舌片係脱機構は、押え部材が一対のアーム間で進退し得るように構成されていることを特徴とする請求項１記載のウイングロック装置。
【請求項３】
上記舌片係脱機構は、上記一対のアーム内にそれぞれ摺動可能に内装された一対の摺動体と、これら一対の摺動体間に架設された架設軸およびこの架設軸より下部位置で摺動体間に架設されたサポート軸と、このサポート軸から延設された一対の筋交いロッドおよび各筋交いロッドの下端部間に架設された水平ロッドからなる第一筋交い部材と、この第一筋交い部材の筋交いロッドに掛け回される、基端部に一対の突出ロッドを備えた第二筋交い部材と、上記一対の突出ロッドの上下動を案内する操作プレートの基端側に設けられた一対のガイド支柱と、上記ベースプレートの下部に設けられ、かつ、頂部に水平ロッドを支持する支持凹部の凹設されたカム部材と、このカム部材に対向配置されて上記カム部材との間で水平ロッドの上下動を案内するための昇降通路を形成するスイングプレートとを備えて構成されていることを特徴とする請求項２記載のウイングロック装置。
【請求項４】
上記操作プレートの下端部と上記ベースプレートの下端部との間には、垂直姿勢に姿勢設定された操作プレートの設定姿勢を保持する姿勢保持構造が設けられていることを特徴とする請求項１乃至３のいずれかに記載のウイングロック装置。
【請求項５】
上記押え部材は、周面が上記係止舌片に当接し得るとともに、当該係止舌片の進退方向に直交する軸回りに回転自在に軸支されたローラによって形成されていることを特徴とする請求項１乃至４のいずれかに記載のウイングロック装置。
【発明の詳細な説明】
【０００１】
【発明の属する技術分野】
本発明は、荷台を上部から開閉可能に覆うウイングが設けられてなるウイング車の煽りに取り付けられるウイングロック装置に関するものである。
【０００２】
【従来の技術】
従来、図９に示すようなウイング車１００が知られている。このウイング車１００は、開いた状態で翼のようになる大型開閉扉（いわゆるウイング１０８）を備えて運送車両の荷台部分を構成するものであり、所定数の車輪１０１に支持された基台１０２と、基台１０２の各側部に開閉可能に設けられた煽り１０３と、上記基台１０２の前後端部に各煽り１０３を挟むように立設された前後一対の門形部材１０４と、これらの門形部材１０４の頂部間に架設された架設材１０７とを備えている。
【０００３】
上記各門形部材１０４は、幅方向一対の支柱１０５および各支柱１０５の頂部間に架設された梁材１０６とからなり、上記架設材１０７は、各梁材１０６の中央部間に前後方向に延びるように設けられている。そして、上記ウイング１０８は幅方向一対で架設材１０７に開閉自在に取り付けられている。
【０００４】
かかるウイング１０８は、基端側が蝶番１１１を介して回動自在に架設材１０７に連結された天板ウイング１０９と、この天板ウイング１０９の先端縁部から下方に向けて直角に延設された側板ウイング１１０とからなり、閉止された状態（閉止姿勢）では、図９に実線で示すように、天板ウイング１０９の前後端部が前後の梁材１０６に当接するとともに、側板ウイング１１０の前後端部が前後の支柱１０５に当接し、かつ、下縁部が立直姿勢の基台１０２の上縁部に当接するように寸法設定されている。
【０００５】
したがって、閉止姿勢に姿勢設定されている例えば左方のウイング１０８を蝶番１１１回りに時計方向に回動させることにより、このウイング１０８は、図９に二点鎖線で示すように、開放姿勢に姿勢設定される一方、開放姿勢のウイング１０８を蝶番１１１回りに反時計方向に回動操作することにより、元の閉止姿勢に戻される。
【０００６】
このように構成されたウイング車１００においては、側板ウイング１１０の下縁部に所定個数の係止舌片１１２が下方に向けて突設されているとともに、煽り１０３の上縁部には係止舌片１１２に対応したロック装置１２０が設けられている。そして、ウイング１０８が閉止姿勢に姿勢設定された状態でこのロック装置１２０を所定の方向に向けて操作することによりロック装置１２０が係止舌片１１２を押圧してウイング１０８が開かないようにロックされる一方、ロック装置１２０の逆操作によってウイング１０８に対するロックが解除され、これによってウイング１０８の開放操作を行い得るようになっている。
【０００７】
このようなウイング車１００に設けられる従来のロック装置１２０としては、例えば特開平９−１１９４１０号に記載されているようなものを挙げることができる。
【０００８】
【発明が解決しようとする課題】
ところで、ロック装置１２０は、オペレータが操作する操作レバー１２１と、この操作レバー１２１の正逆操作により係止舌片１１２に対してロック動作およびロック解除動作を行うロック部材１２２とを備えた基本構成を有している。そして、従来のロック装置１２０においては、操作レバー１２１とロック部材１２２との間に可逆的に動作する所定のリンク構造が介在され、ロック部材１２２は、操作レバー１２１の正方向への動作によってロック姿勢に姿勢変更してその姿勢が維持されるとともに、同逆方向への動作によってロック解除姿勢に姿勢変更してその姿勢が維持されるようになっている。
【０００９】
従って、従来のロック装置１２０においては、操作レバー１２１の姿勢とロック部材１２２の姿勢とは常に同期しており、操作レバー１２１がロック姿勢のときはロック部材１２２も必ずロック姿勢に設定されるとともに、操作レバー１２１がロック解除姿勢のときはロック部材１２２も必ずロック解除姿勢になる。
【００１０】
そして、操作レバー１２１は、ロック姿勢に設定された状態で煽り１０３に密着されるとともに、ロック解除姿勢のときは煽り１０３から外部に突出した状態とされる。このようにされるのは、ウイング車１００の使用時（すなわち走行時）に操作レバー１２１が車体から外部に突出しているとこれが邪魔になってウイング車１００の走行上不具合になるからである。
【００１１】
しかしながら、ロックが解除されることにより操作レバー１２１が煽り１０３から外方に向けて突出していると、たとえウイング車１００が停車中であっても、煽り１０３が開かれることにより基台１０２の下部に形成された図略のガードレール等の付設物に上記突出した操作レバー１２１が干渉して損傷することがある等の不都合が生じる。
【００１２】
かかる不都合を解消するために、一旦ロックを解除して係止舌片１１２との係合を解除した後に再度操作レバー１２１を操作して空ロック状態とし、操作レバー１２１が外部に突出しないようにしてから煽り１０３を開くことが行われる。しかしながらこのようにすると、煽り１０３およびウイング１０８を閉じてロック装置１２０をロック状態にするに際し、一旦操作レバー１２１をロック解除姿勢に戻してからロック姿勢に向けて捜査しなければならず、操作が面倒であるという新たな問題点が提起される。すなわち、従来のロック装置１２０は、操作性が劣ることによって多数存在するロック装置１２０のロック操作に手間取り、作業性の面からこれの改善が嘱望されていたのである。
【００１３】
本発明は、上記のような状況に鑑みなされたものであり、操作レバーの損傷を回避し得るようにした上で操作レバーによるロック操作の操作性を向上させることができるウイングロック装置を提供することを目的としている。
【００１４】
【課題を解決するための手段】
請求項１記載の発明は、荷台を上部から開閉可能に覆うウイングが設けられてなるウイング車の煽りに取り付けられ、閉じた状態のウイングの縁部に突設されている係止舌片を押えて当該ウイングの開放をロックするように構成されたウイングロック装置であって、上記煽りに固定されるベースプレートと、このベースプレートの上部に設けられた水平方向に延びる連結ピン回りに回動してベースプレートに密着した垂直姿勢と下部がベースプレートから離間した傾斜姿勢との間で姿勢変更可能に当該ベースプレートに装着された操作プレートと、この操作プレートの回動操作により当該操作プレートから進退して上記係止舌片に係脱する押え部材を備えた舌片係脱機構とが備えられ、上記舌片係脱機構は、操作プレートが傾斜姿勢に姿勢設定された状態で上記押え部材が退行する一方、操作プレートを垂直姿勢に姿勢変更するに際し、押え部材の進行と、押え部材の退行位置への留保とのいずれか一方を選択的に設定し得るように構成されていることを特徴とするものである。
【００１５】
この発明によれば、押え部材が退行位置に位置設定され、かつ、操作プレートが垂直姿勢に姿勢設定された状態でウイングを閉じることにより、ウイングの係止舌片は、押え部材に干渉することなく当該押え部材に対向した位置に到達する。この状態で操作プレートを操作して傾斜姿勢に姿勢変更させることにより、押え部材が進行して係止舌片を押え込むため、ウイングの閉止状態がロックされる。
【００１６】
ついで、ウイングのロックを解除するためには、垂直姿勢の操作プレートを操作して傾斜姿勢に姿勢変更させればよい。こうすることによって押え部材が退行して係止舌片に対する係合が解消されるため、ウイングを開放することができる。
【００１７】
そして、操作プレートは、傾斜姿勢から垂直姿勢に姿勢変更するに際し、押え部材の進行と、押え部材の退行位置への留保とのいずれか一方を選択的に設定し得るように構成されているため、ウイングの解放後に上記留保を選択した上で（すなわちこの選択のための所定の動作を行った上で）操作プレートを垂直姿勢に姿勢変更することにより、押え部材は退行位置に位置したままで操作プレートはベースプレートに密着した垂直姿勢に姿勢設定される。
【００１８】
したがって、傾斜姿勢になっていることによる操作プレートの外部への突出によって操作プレートが邪魔になったり、煽りを降ろしたときに車両の下部の部材と干渉して両者が互いに破損するような不都合を生じさせないようにした上で、つぎの係止舌片の押え操作時には、垂直姿勢の操作プレートを傾斜姿勢に姿勢変更した後、押え部材を進行位置に留める選択をして再度垂直姿勢に戻すことにより（すなわち、操作プレートの往復動作で）、押え部材で係止舌片をロックすることが可能になり、ロックおよびロック解除の操作性が向上する。
【００１９】
これに対し、従来のウイングロック装置にあっては、操作プレートの操作位置と、押え部材の被操作位置とが一対一対応で可逆的に決まってしまうため、操作プレートをホームポジションに位置設定した状態でウイングを閉じると、係止舌片が進行位置にある押え部材と干渉してしまい、これによって係止舌片を係止することができなくなるという不都合が生じる。かかる不都合を回避するためには、ウイングを閉じるに先だってウイング車の周りを巡って全ての操作プレートを一旦傾斜姿勢に変更し、その後、ウイングを閉じてから再度操作プレートを操作しなければならず、操作性が悪いという問題点を有していたが、請求項１の発明ではかかる問題点が解消される。
【００２０】
請求項２記載の発明は、請求項１記載の発明において、上記操作プレートは、上記押え部材を挟むように設けられた一対のアームからなる二股部を有し、上記舌片係脱機構は、押え部材が一対のアーム間で進退し得るように構成されていることを特徴とするものである。
【００２１】
この発明によれば、押え部材は、二股部の一対のアーム間に設けられているため、各アームに保護された状態になって進退動作が安定する。
【００２２】
請求項３記載の発明は、請求項２記載の発明において、上記舌片係脱機構は、上記一対のアーム内にそれぞれ摺動可能に内装された一対の摺動体と、これら一対の摺動体間に架設された架設軸およびこの架設軸より下部位置で摺動体間に架設されたサポート軸と、このサポート軸から延設された一対の筋交いロッドおよび各筋交いロッドの下端部間に架設された水平ロッドからなる第一筋交い部材と、この第一筋交い部材の筋交いロッドに掛け回される、基端部に一対の突出ロッドを備えた第二筋交い部材と、上記一対の突出ロッドの上下動を案内する操作プレートの基端側に設けられた一対のガイド支柱と、上記ベースプレートの下部に設けられ、かつ、頂部に水平ロッドを支持する支持凹部の凹設されたカム部材と、このカム部材に対向配置されて上記カム部材との間で水平ロッドの上下動を案内するための昇降通路を形成するスイングプレートとを備えて構成されていることを特徴とするものである。
【００２３】
この発明によれば、押え部材が退行位置に位置設定され、かつ、操作プレートが垂直姿勢に姿勢設定された状態でウイングを閉じることにより、ウイングの係止舌片は、押え部材に干渉することなく当該押え部材に対向した位置に到達することができる。
【００２４】
この状態で操作プレートを操作して当該操作プレートを傾斜姿勢に姿勢変更すると、昇降通路の下端部に位置した第一筋交い部材の水平ロッドがスイングプレートに案内されつつカム部材の頂部の支持凹部に到達する。この状態で操作プレートを垂直姿勢に戻すことにより、第一筋交い部材が水平ロッド回りに回動してアーム内の摺動体を押し上げるため、摺動体と一体の架設軸が一対のアーム間で上昇し、この上昇した架設軸によってウイングの係止舌片がベースプレートに向けて押圧され、これによってウイングの閉止状態がロックされる。
【００２５】
ついで、上記ウイングのロック状態を解除するには、垂直姿勢の操作プレートを操作して傾斜姿勢に姿勢変更させればよい。こうすることによって上記と逆の作用で押え部材が下降して係止舌片に対する係合が解消されるため、ウイングを開放することができる。
【００２６】
そして、ウイングのロックが解除された後、操作プレートをさらに傾斜方向に向けて操作することにより、第二筋交い部材が第一筋交い部材をサポート軸回りにベースプレートから離間する方向に回動させるため、第一筋交い部材の水平ロッドがカム部材の支持凹部から外れ、カム部材とスイングプレートとの間に形成された昇降通路に嵌り込む。この状態で操作プレートを垂直姿勢の方向に向けて操作すれば、上記水平ロッドは、自重によって昇降通路を下降するため、第一筋交い部材はサポート軸回りに回動するだけで摺動体を上方に押し上げることはない。したがって、操作プレートは、架設軸が下降位置を維持したままの状態で垂直姿勢に移行するため、架設軸の係止舌片への干渉が回避されつつ元のホームポジション（すなわち、操作プレートが垂直姿勢で、かつ、架設軸が下降位置に位置した状態）に戻る。
【００２７】
請求項４記載の発明は、請求項１乃至３のいずれかに記載の発明において、上記操作プレートの下端部と上記ベースプレートの下端部との間には、垂直姿勢に姿勢設定された操作プレートの設定姿勢を保持する姿勢保持構造が設けられていることを特徴とするものである。
【００２８】
この発明によれば、操作プレートは、設定された垂直姿勢が姿勢保持構造の作用により維持されるため、振動その他で操作プレートが操作されていないのに自然と傾斜姿勢に変更され、これによって係止舌片のロック状態が解消されるような不都合が確実に防止される。
【００２９】
請求項５記載の発明は、請求項１乃至４のいずれかに記載の発明において、上記押え部材は、周面が上記係止舌片に当接し得るとともに、当該係止舌片の進退方向に直交する軸回りに回転自在に軸支されたローラによって形成されていることを特徴とするものである。
【００３０】
この発明によれば、操作プレートを垂直姿勢に姿勢設定した状態で、係止舌片がローラによって押圧されるため、ローラの回転で係止舌片が傷付くような不都合が生じない。すなわち、従来のローラではない押え部材で係止舌片が押圧されたときは、両者が摺接することによる擦過で互いに傷付いて腐食の原因になるが、請求項４の発明ではこのような不都合が回避される。
【００３１】
また、ローラとして合成樹脂製のものを採用すれば、ローラは、係止舌片を押圧した状態で圧縮弾性変形するため、その弾性力で係止舌片の係止状態がより確実で安定したものになる。
【００３２】
【発明の実施の形態】
図１は、本発明に係るウイングロック装置の一実施形態を示す分解斜視図である。また、図２〜図４は、図１に示すウイングロック装置の組立て斜視図であり、図２は操作プレートが垂直姿勢でかつロック姿勢に設定された状態、図３は操作プレートが傾斜姿勢に姿勢設定された状態、図４は操作プレートが垂直姿勢でかつロック解除姿勢に設定された状態をそれぞれ示している。さらに図５は、図３のＡ−Ａ線断面図である。
【００３３】
これらの図に示すように、ウイングロック装置１０は、煽り１０３にリベットＲによってリベット止めされるベースプレート２０と、このベースプレート２０に操作可能に装着される操作プレート３０と、この操作プレート３０と上記ベースプレート２０との間に介設されるロック構造４０と、ベースプレート２０に設けられて上記ロック構造４０の位置設定を行う位置設定部材５０と、操作プレート３０の下部に設けられてロック構造４０の位置設定を援助する援助部材６０と、操作プレート３０の垂直姿勢を保持させる姿勢保持構造７０とを備えた基本構成を有している。
【００３４】
上記ベースプレート２０は、上部に形成された幅広部２１と、この幅広部２１の下部から下方に向かって幅寸法が漸減するように形成された中間部２２と、この中間部２２の下部から同一幅寸法で下方に向かって延設された幅狭部２３とからなり、正面視で逆凸字形状を呈している。かかるベースプレート２０の幅方向の各縁部には、上下に並んだ複数個のリベット孔２４が穿設され、これらのリベット孔２４および煽り１０３の対応位置に穿設されたリベット孔にリベットＲが挿通された状態でかしめ処理されることによりベースプレート２０が煽り１０３の適所（上部位置）に固定されるようになっている。
【００３５】
かかるベースプレート２０の幅広部２１には、その上部の左右対称位置に操作プレート３０を軸支するための幅方向一対の軸受部材２５が固定されているとともに、幅狭部２３の幅方向の中央位置に上記位置設定部材５０が取り付けられている。上記各軸受部材２５は、水平方向に延びる各軸支孔２５ａの孔心が同心になるように固定位置が設定されている。
【００３６】
上記操作プレート３０は、金属製の平板をプレス処理することによって、図１に示すように、周縁に所定高さの縁堰３１が設けられた状態で形成されている。かかる操作プレート３０は、ベースプレート２０の幅広部２１および中間部２２に若干小さめで対応するように形状設定された二股部３２と、この二股部３２の下部から下方に向けて延設された操作部３６とからなっている。
【００３７】
上記二股部３２には、両側部にそれぞれ縁堰３１を有する幅方向一対の連結アーム３３が形成されているとともに、各連結アーム３３の上端部には、孔心を共有した状態で各縁堰３１に穿設された挿通孔３３ａが設けられている。そして、各連結アーム３３の上端の縁堰３１間を上記一対の軸受部材２５に外嵌した状態で連結ピン３４を挿通孔３３ａおよび軸受部材２５の軸支孔２５ａに差し通してかしめ止めすることにより、操作プレート３０が連結ピン３４回りに回動可能にベースプレート２０に連結されるようになっている。
【００３８】
このような操作プレート３０の操作部３６には、その下部位置に幅方向一対のガイド角筒３７が形成されている。これらのガイド角筒３７は、操作部３６下部の各縁堰３１から同一方向に向けて突設された突設板をそれぞれ内側に向かって角筒が形成されるように直角に二度折り曲げることによって形成されている。各ガイド角筒３７内には上記援助部材６０の一部が内嵌固定されるとともに、一対のガイド角筒３７間には上記姿勢保持構造７０の一部が嵌装されるようになっている。
【００３９】
上記ロック構造４０は、上記一対の連結アーム３３にそれぞれ上下方向に摺動可能に内装された幅方向一対の摺動体４１と、これら一対の摺動体４１間に架設され、かつ、同心で外嵌されたローラ（押え部材）４３を有する上下一対の架設軸４２と、下部の架設軸４２よりさらに下部位置で摺動体４１間に架設され、かつ、第一筋交い部材４５を有するサポート軸４４とを備えている。上記ローラ４３は、図２に示すように係止舌片１１２を押えてベースプレート２０との間で押圧挟持するためのものであり、本実施形態においては合成樹脂製のものが採用されている。合成樹脂製のローラ４３を採用することにより、ローラ４３は、係止舌片１１２を押圧した状態で圧縮弾性変形するため、係止舌片１１２の挟持保持状態がより確実で安定したものになる。
【００４０】
一方、各連結アーム３３の互いに対向した縁堰３１には、架設軸４２およびサポート軸４４を挿通するための上下方向に延びたガイド長孔３５がそれぞれ穿設され、これによってロック構造４０は、架設軸４２およびサポート軸４４がこれらガイド長孔３５の許容範囲内で昇降して、図２に示すように、ローラ４３が上方位置で係止舌片１１２に対向した上部位置と、図３および図４に示すように、ローラ４３の係止舌片１１２に対する対向状態が解除された下部位置との間で位置変更し得るようになっている。
【００４１】
上記第一筋交い部材４５はＵ字状を呈し、サポート軸４４に固定された幅方向一対の筋交いロッド４６と、これらの筋交いロッド４６の下端部間に架設された水平ロッド４７とからなっている。筋交いロッド４６は、水平ロッド４７が位置設定部材５０の後述するカム部材５２の頂部に支持され、かつ、ロック構造４０のローラ４３が下部位置に位置設定された状態で操作プレート３０が３０°〜４５°の範囲内の所定角度になるように長さ寸法が設定されている。
【００４２】
上記位置設定部材５０は、第一筋交い部材４５との関連で操作プレート３０を図２〜図４に示す三種類の状態のいずれかに設定するためのものである。因みに、図２はローラ４３が係止舌片１１２をベースプレート２０に押し付けたベースプレート押圧状態、図３はローラ４３による係止舌片１１２の押圧が解除されかつ操作プレート３０が傾斜姿勢に設定された操作レバー傾斜状態、図４はローラ４３による係止舌片１１２の押圧が解除されかつ操作プレート３０が垂直姿勢に設定された操作レバー垂直状態をそれぞれ示している。
【００４３】
かかる位置設定部材５０は、図１および図５に示すように、ベースプレート２０の中間部２２における幅方向の中央位置に設けられたストッパー５１と、このストッパー５１に対向するようにベースプレート２０の幅狭部２３の上部位置に設けられたカム部材５２と、このカム部材５２に被さるように設けられたスイングプレート部材５３と、このスイングプレート部材５３の下端部にさらに被さるように設けられた、当該スイングプレート部材５３を軸支する軸支部材５４とを備えて構成されている。
【００４４】
上記ストッパー５１は、金属板をＵ字状に曲折処理することによって形成され、底板５１ａと、幅方向一対の側板５１ｂとからなっている。各側板５１ｂが上下方向に延びた状態で底板５１ａがベースプレート２０の中間部２２に溶接止め等によって固定されることにより、ストッパー５１がベースプレート２０に装着されている。一対の側板５１ｂの各下縁部は、図５に示すように、底板５１ａから離間するに連れて下方に向かうように先下がりに傾斜している。
【００４５】
上記カム部材５２は、下方に向かうに従って厚み寸法が漸減するように形状設定されたカム部材本体５２ａと、その頂部に形成された上記第一筋交い部材４５の水平ロッド４７を支持するための支持凹部５２ｂとからなっている。支持凹部５２ｂの表面とストッパー５１の側板５１ｂの下縁部との間には第一筋交い部材４５の水平ロッド４７を嵌め込み得る隙間が形成され、この隙間において水平ロッド４７がカム部材５２の支持凹部５２ｂに支持されることにより、第一筋交い部材４５が、図３および図５に示すように、操作プレート３０の傾斜姿勢を維持し得るようになっている。
【００４６】
上記スイングプレート部材５３は、水平ロッド４７を押えてその移動軌跡を確保するためのものであり、所定寸法の離間状態でカム部材５２に対向配置される板状のプレート本体５３ａと、このプレート本体５３ａの下端部からベースプレート２０に向けて突設された幅方向一対のブラケット５３ｂと、各ブラケット５３ｂに貫通して軸支部材５４に軸支された支持軸５３ｃと、この支持軸５３ｃに外嵌されて付勢力によりプレート本体５３ａを支持軸５３ｃ回りに時計方向に向けて付勢するコイルバネ５３ｄとを備えて構成されている。
【００４７】
プレート本体５３ａの上端部には二条の切り込みを備えたフォーク状のフォーク部５３ｅが設けられている。このフォーク部５３ｅは、ベースプレート２０に向けて所定角度折り曲げられ、これによって上記各切り込みがストッパー５１の各側板５１ｂに外嵌した状態でカム部材５２の支持凹部５２ｂに支持されている第一筋交い部材４５の水平ロッド４７を押え込んで水平ロッド４７の被支持状態が安定するようにしている。
【００４８】
また、プレート本体５３ａの裏面側と、カム部材本体５２ａの表面側との間には、コイルバネ５３ｄの付勢力に抗してプレート本体５３ａを支持軸５３ｃ回りに反時計方向に回動させた水平ロッド４７が下方に向けて移動したり一旦下降した後に上昇するための昇降通路５５が形成されている。
【００４９】
上記軸支部材５４は、上記支持軸５３ｃを軸支するとともに、上記姿勢保持構造７０を係脱可能に係止するためのものであり、上部がプレート本体５３ａの下部に被さるように積層された係止板５４ａと、この係止板５４ａの両側部からベースプレート２０に向かって折り曲げられて形成した幅方向一対のブラケット５４ｂとからなっている。各ブラケット５４ｂは、ベースプレート２０に溶接止めその他で固定されている。かかる軸支部材５４の一対のブラケット５４ｂおよびこれらに挟持されたスイングプレート部材５３の一対のブラケット５３ｂに支持軸５３ｃが貫通されることにより、スイングプレート部材５３が支持軸５３ｃ回りに回動可能に軸支されている。
【００５０】
上記援助部材６０は、上記操作プレート３０の一対のガイド角筒３７のそれぞれに上方から嵌め込まれてかしめ止めその他で固定された幅方向一対のガイド支柱６１と、これらのガイド支柱６１に案内されて昇降する第二筋交い部材６３とを備えて構成されている。各ガイド支柱６１は、互いの対向面に上下方向に延びるように凹設されたガイド溝６２を有している。
【００５１】
一方、上記第二筋交い部材６３は、幅方向一対の筋交いロッド６４と、各筋交いロッド６４の先端部に架設された水平ロッド６５と、各水平ロッド６５の基端部から幅方向で互いに反対方向に向けて突設された幅方向一対の突出ロッド６６とからなっている。一対の突出ロッド６６が各ガイド支柱６１の対応したガイド溝６２に嵌め込まれた状態で、第二筋交い部材６３の水平ロッド６５が第一筋交い部材４５に被せられることにより、図１および図５に示すように、第二筋交い部材６３が操作プレート３０に装着された状態になるようにしている。
【００５２】
以下、図６を基に、必要に応じて図１〜図５を参照しながら姿勢保持構造７０について説明する。図６は、姿勢保持構造７０の一実施形態を示す一部切欠き拡大斜視図である。図６および先の図１に示すように、姿勢保持構造７０は、操作プレート３０の操作部３６に設けられた一対のガイド角筒３７間に介設される係止ボックス７１と、この係止ボックス７１に上方に向かう付勢力を付与する付勢構造７５とを備えて構成されている。
【００５３】
係止ボックス７１は、箱状を呈したボックス本体７２と、このボックス本体７２の天板から上方に向けて突設されたベースプレート２０に向けて先下がりの傾斜部７３ａを有する係止突起７３と、ボックス本体７２の幅方向一対の側板から互いに反対方向に向けて突設された上下方向に長尺の被ガイド突起７４とを備えて構成されている。
【００５４】
ボックス本体７２は、厚み寸法がガイド角筒３７の対向面側の厚み寸法と同一になるように寸法設定されているとともに、上下寸法が軸支部材５４の下縁部とベースプレート２０の下縁部との間の距離に略等しくなるように寸法設定され、これによって操作プレート３０がベースプレート２０に積層される垂直姿勢に姿勢設定された状態では軸支部材５４の直下に位置し、図２および図４に示すように外部からは視認し得ないようになる。
【００５５】
係止突起７３は、その直立部７３ｂがボックス本体７２の天板の、ベースプレート２０から離れた側の縁部から係止板５４ａの厚み寸法より若干多めにベースプレート２０側に寄った部分に位置するように設けられ、これによって操作プレート３０が垂直姿勢に設定された状態で軸支部材５４内に嵌り込み得るようになっている。
【００５６】
一方、一対のガイド角筒３７の各対向壁面には、上記被ガイド突起７４を摺接状態で嵌め込む下部に開口を備えた上下方向に長尺の嵌装溝３７ａが設けられ、これらの嵌装溝３７ａに各被ガイド突起７４をそれぞれ嵌め込むことによって係止ボックス７１がガイド角筒３７間に装着されるようになっている。
【００５７】
上記付勢構造７５は、各被ガイド突起７４の端面から互いに反対方向に向けて突設された一対の引掛け突起７６と、この引掛け突起７６に対向してガイド支柱６１の底面に固定されたフック７７と、このフック７７と上記引掛け突起７６の間に張設されたコイルスプリング７８とを備えて構成されている。
【００５８】
コイルスプリング７８は、伸長状態で引掛け突起７６およびフック７７間に張設され、これによって引掛け突起７６および被ガイド突起７４を介してボックス本体７２に上方に向かう付勢力を付与するようになっている。
【００５９】
また、ボックス本体７２の底板には、オペレータが指を差し入れるための操作孔７９が穿設されている。従って、係止突起７３が軸支部材５４の係止板５４ａに係止された状態で、操作孔７９から指を差し入れて底板を下方に向けて引くことにより、係止ボックス７１がコイルスプリング７８の付勢力に抗して下降し、係止突起７３の係止板５４ａに対する係止が解除されることによって操作プレート３０を連結ピン３４回りに回動操作し得るようになる。
【００６０】
以下、図７および図８を基に必要に応じて図１〜図６を参照しながら本発明の作用について説明する。図７および図８は、本発明のウイングロック装置１０の作用を説明するための断面視の説明図であり、図７の（イ）は、操作プレート３０が垂直姿勢に、摺動体４１が下降位置に設定された状態、図７の（ロ）は、操作プレート３０が傾斜姿勢に、摺動体４１が下降位置に設定された状態、図８の（イ）は、操作プレート３０が垂直姿勢に、摺動体４１が上昇位置に設定された状態、図８の（ロ）は、操作プレート３０がさらに傾斜方向に操作されることにより第一筋交い部材４５の水平ロッド４７が昇降通路５５に向けて誘導されつつある状態をそれぞれ示している。
【００６１】
ウイングロック装置１０のホームシチュエーションにおいては、図７の（イ）に示すように、操作プレート３０が垂直姿勢に姿勢設定されているとともに、ロック構造４０の摺動体４１が下降位置に位置設定され、これによって二股部３２の一対の連結アーム３３間に設けられたローラ４３が当該連結アーム３３間で下方に位置し、ウイング１０８（図９）の係止舌片１１２を連結アーム３３間に受け入れ得る状態になっている。したがって、この状態でウイング１０８を閉じると、図７の（イ）および先の図４に示すように、係止舌片１１２が一対の連結アーム３３間でローラ４３より若干上方に位置することになる。
【００６２】
ついで、係止舌片１１２をロックするに際しては、図７の（イ）に示す状態で操作孔７９（図６）に指を差し入れて係止ボックス７１を下方に引き、これによって係止突起７３（図１）の軸支部材５４への係止を解除しながら操作部３６を手前に引いて操作プレート３０を連結ピン３４回りに時計方向に回動させる。
【００６３】
こうすることによって、摺動体４１が連結ピン３４を中心とした円軌跡に沿いながら上昇するため、摺動体４１に連結されたサポート軸４４および筋交いロッド４６を介して水平ロッド４７が昇降通路５５内を上昇し、カム部材５２の支持凹部５２ｂに嵌り込んで支持されることにより、第一筋交い部材４５は、図７の（ロ）に示すように、傾斜突出姿勢が安定したものになる。
【００６４】
この状態で操作プレート３０の操作部３６をベースプレート２０に向かって押圧すると、操作プレート３０は連結ピン３４回りに反時計方向に回動するとともに、第一筋交い部材４５は、カム部材５２の支持凹部５２ｂに支持されている水平ロッド４７回りに時計方向に回動する。この回動によってサポート軸４４が摺動体４１を上方に押し上げるため、この摺動体４１の連結アーム３３内での上昇によってローラ４３も上昇しながら操作プレート３０の回動によってベースプレート２０に向けて接近していくことになる。
【００６５】
そして、操作プレート３０が垂直姿勢に設定されると、図８の（イ）に示すように、上昇位置に設定されたローラ４３が係止舌片１１２をベースプレート２０に押し付けた状態になっており、これによって係止舌片１１２のローラ４３によるロックが完了する。また、このときには、操作プレート３０の係止突起７３がベースプレート２０の軸支部材５４に係止しているため、上記ロック状態は安定したものになる。
【００６６】
つぎに、このロック状態を解消させるに際しては、図８の（イ）に示す状態において、係止ボックス７１を下降させて係止突起７３の軸支部材５４への係止を解除した上で、操作部３６を操作して操作プレート３０を連結ピン３４回りに時計方向に回動させればよい。こうすることによって摺動体４１がカム部材５２に支持されている水平ロッド４７回りに反時計方向に回動したローラ４３を下降位置に押し下げるため、図７の（ロ）に示すように、係止舌片１１２のローラ４３によるロックが解除された状態になる。この状態でウイング１０８が開放されることになる。
【００６７】
ついで、図７の（ロ）に示す状態で、操作プレート３０をさらに若干連結ピン３４回りに時計方向に回動すると、第二筋交い部材６３の水平ロッド６５が第一筋交い部材４５の筋交いロッド４６に連結していることから、この連結によって第一筋交い部材４５も連結ピン３４回りに時計方向に回動し、これによって第一筋交い部材４５の水平ロッド４７がコイルバネ５３ｄの付勢力に抗してスイングプレート部材５３を支持軸５３ｃ回りに反時計方向に回動させるため、スイングプレート部材５３とカム部材本体５２ａとの間に水平ロッド４７を通過させ得る隙間が形成され、これによって水平ロッド４７は、図８の（ロ）に示すように、支持凹部５２ｂからこの隙間（すなわち昇降通路５５の上部）に移動した状態になる。
【００６８】
この状態で、操作プレート３０を連結ピン３４回りに反時計方向に向けて回動させることにより、水平ロッド４７が昇降通路５５に案内されつつ下降するとともに、摺動体４１も連結アーム３３内を下降し、ウイングロック装置１０は、図７の（イ）に示すように、ホームシチュエーションに復帰する。
【００６９】
本発明のウイングロック装置１０は、以上詳述したように、荷台を上部から開閉可能に覆うウイング１０８が設けられてなるウイング車の煽り１０３に取り付けられ、ウイング１０８の縁部に突設されている係止舌片１１２を押えて閉じた当該ウイング１０８の開放をロックするように構成されたものであり、煽り１０３に固定されるベースプレート２０と、このベースプレート２０の上部に設けられた水平方向に延びる連結ピン３４回りに回動してベースプレート２０に密着した垂直姿勢と下部がベースプレート２０から離間した傾斜姿勢との間で姿勢変更可能に当該ベースプレート２０に装着された操作プレート３０と、この操作プレート３０の回動操作により当該操作プレート３０から進退して上記係止舌片１１２に係脱する押え部材（ローラ４３）を備えたロック構造４０および位置設定部材５０からなる舌片係脱機構とが備えられ、舌片係脱機構は、操作プレート３０が傾斜姿勢に姿勢設定された状態でローラ４３が係止舌片１１２から退行する一方、操作プレート３０を垂直姿勢に姿勢変更するに際し、ローラ４３の進行と、ローラ４３の退行位置への留保とのいずれか一方を選択的に設定し得るように構成されている。
【００７０】
したがって、ローラ４３が退行位置に位置設定され、かつ、操作プレート３０が垂直姿勢に姿勢設定された状態でウイング１０８を閉じることにより、係止舌片１１２は、ローラ４３に干渉することなく当該ローラ４３に対向した位置に到達する。この状態で操作プレート３０を操作して傾斜姿勢に姿勢変更させることにより、ローラ４３が進行して係止舌片１１２を押え込むため、ウイング１０８の閉止状態をロックすることができる。
【００７１】
ついで、ウイング１０８のロックを解除するためには、垂直姿勢の操作プレート３０を操作して傾斜姿勢に姿勢変更させればよい。こうすることによってローラ４３が退行して係止舌片１１２に対する係合が解消されるため、ウイング１０８を開放することができる。
【００７２】
そして、操作プレート３０は、傾斜姿勢から垂直姿勢に姿勢変更するに際し、ローラ４３の進行と、ローラ４３の退行位置への留保とのいずれか一方を選択的に設定し得るように構成されているため、ウイング１０８の解放後に上記留保を選択した上で（すなわちこの選択のための所定の動作を行った上で）操作プレート３０を垂直姿勢に姿勢変更することにより、ローラ４３は退行位置に位置したままで操作プレート３０をベースプレート２０に密着した垂直姿勢に姿勢設定することができる。
【００７３】
したがって、傾斜姿勢になっていることによる操作プレート３０の外部への突出によって操作プレート３０が邪魔になったり、煽り１０３を降ろしたときに車両の下部の部材と干渉して両者が互いに破損するような不都合を生じさせないようにした上で、つぎの係止舌片１１２の押え操作時には、垂直姿勢の操作プレート３０を傾斜姿勢に姿勢変更した後、ローラ４３を進行位置に留める選択をして操作プレート３０を再度垂直姿勢に戻すことにより（すなわち、操作プレート３０の往復動作で）、ローラ４３で係止舌片１１２をロックすることが可能になり、ロックおよびロック解除の操作性を向上させることができる。
【００７４】
そして、操作プレート３０に上記ローラ４３を挟むように設けた一対の連結アーム３３からなる二股部３２を設け、舌片係脱機構を、ローラ４３が一対の連結アーム３３間で進退し得るように構成しているため、ローラ４３は、各連結アーム３３に保護された状態になり、その進退動作を安定させることができる。
【００７５】
また、舌片係脱機構は、上記一対の連結アーム３３内にそれぞれ摺動可能に内装された一対の摺動体４１と、これら一対の摺動体間に架設された架設軸４２およびこの架設軸４２より下部位置で摺動体４１間に架設されたサポート軸４４と、このサポート軸４４から延設された一対の筋交いロッド４６および各筋交いロッド４６の下端部間に架設された水平ロッド４７からなる第一筋交い部材４５と、この第一筋交い部材４５の筋交いロッド４６に掛け回される、基端部に一対の突出ロッド６６を備えた第二筋交い部材６３と、上記一対の突出ロッド６６の上下動を案内する操作プレート３０の基端側に設けられた一対のガイド支柱６１と、上記ベースプレート２０の下部に設けられ、かつ、頂部に水平ロッド４７を支持する支持凹部の凹設されたカム部材５２と、このカム部材５２に対向配置されて上記カム部材５２との間で水平ロッド４７の上下動を案内するための昇降通路５５を形成するスイングプレート部材５３とを備えて構成されているため、ローラ４３が退行位置に位置設定され、かつ、操作プレート３０が垂直姿勢に姿勢設定された状態でウイング１０８を閉じることにより、ウイング１０８の係止舌片１１２は、ローラ４３に干渉することなく当該ローラ４３に対向した位置に到達することができる。
【００７６】
この状態で操作プレート３０を操作して当該操作プレート３０を傾斜姿勢に姿勢変更することにより、昇降通路５５の下端部に位置した第一筋交い部材４５の水平ロッド４７がスイングプレート部材５３に案内されつつカム部材５２の頂部の支持凹部に到達する。この状態で操作プレート３０を垂直姿勢に戻すことにより、第一筋交い部材４５が水平ロッド４７回りに回動して連結アーム３３内の摺動体４１を押し上げるため、摺動体４１と一体の架設軸４２が一対の連結アーム３３間で上昇し、この上昇した架設軸４２によってウイング１０８の係止舌片１１２がベースプレート２０に向けて押圧され、これによってウイング１０８の閉止状態を係止舌片１１２を介してロックすることができる。
【００７７】
ついで、上記ウイング１０８のロック状態を解除するには、垂直姿勢の操作プレート３０を操作して傾斜姿勢に姿勢変更させればよい。こうすることによって上記と逆の作用でローラ４３が下降して係止舌片１１２に対する係合が解消されるため、ウイング１０８を開放することができる。
【００７８】
そして、ウイング１０８のロックが解除された後、操作プレート３０をさらに傾斜方向に向けて操作することにより、第二筋交い部材６３が第一筋交い部材４５をサポート軸４４回りにベースプレート２０から離間する方向に回動させるため、第一筋交い部材４５の水平ロッド４７がカム部材５２の支持凹部から外れ、カム部材５２とスイングプレート部材５３との間に形成された昇降通路５５に嵌り込む。この状態で操作プレート３０を垂直姿勢の方向に向けて操作すれば、上記水平ロッド４７は、自重によって昇降通路５５を下降するため、第一筋交い部材４５はサポート軸４４回りに回動するだけで摺動体４１を上方に押し上げることはない。したがって、操作プレート３０は、架設軸４２が下降位置を維持したままの状態で垂直姿勢に移行するため、架設軸４２の係止舌片１１２への干渉が回避されつつ元のホームポジション（すなわち、操作プレート３０が垂直姿勢で、かつ、架設軸４２が下降位置に位置した状態）に戻る。
【００７９】
さらに、操作プレート３０の下端部とベースプレート２０の下端部との間に垂直姿勢に姿勢設定された操作プレート３０の設定姿勢を保持する姿勢保持構造７０を設けているため、操作プレート３０は、設定された垂直姿勢が姿勢保持構造の作用により維持され、振動その他で操作プレート３０が操作されていないのに自然と傾斜姿勢に変更され、これによって係止舌片１１２のロック状態が解消されるような不都合を防止することができる。
【００８０】
本発明は、上記の実施形態に限定されるものではなく、以下の内容をも包含するものである。
【００８１】
（１）上記の実施形態においては、架設軸４２が二股部３２の一対の連結アーム３３間に架設されているが、本発明は、架設軸４２が一対の連結アーム３３間に架設されることに限定されるものではなく、二股部３２をなくした上で（すなわち、この部分を操作部３６と同様に二股が設けられていない状態とした上で）この部分の縁堰３１から側部に向けて架設軸４２を外部に突出させるようにしてもよい。そして、この外部に突出した架設軸４２にローラ４３を外嵌することによってこのローラ４３で係止舌片１１２を係脱し得るようになる。
【００８２】
（２）上記の実施形態においては、ベースプレート２０の中間部２２にストッパー５１が設けられているが、本発明においてはストッパー５１は必ずしも必須の部材ではなく、スイングプレート部材５３のプレート本体５３ａを弾性変形し難い剛体によって形成すれば、特に設けなくてもよい。
【００８３】
（３）上記の実施形態においては、係止舌片１１２を押えて止める押え部材としてローラ４３が採用されているが、本発明は、押え部材がローラ４３であることに限定されるものではなく、係止舌片１１２に対して面接触するように形状設定された例えば合成樹脂製の板状の押え片であってもよい。
【００８４】
（４）上記の実施形態において、ベースプレート２０のローラ４３に対する対向面に受けローラを装着する装着孔または装着凹部からなるローラ装着部を設け、このローラ装着部に、ローラ４３と平行な水平軸回りに回転自在で、かつ、周面が若干ベースプレート２０の表面から外部に突出するように位置設定された受けローラを装着してもよい。このような受けローラを設けることによって、操作プレート３０を垂直姿勢に姿勢設定した状態で、係止舌片１１２がローラ４３と受けローラとによって押圧挟持された状態になるため、係止舌片１１２がベースプレート２０に対して直接接触することがなくなり、係止舌片１１２がベースプレート２０に摺接することによる擦過でベースプレート２０に傷が付いて腐食の原因になるような不都合を確実に防止することができる。また、操作プレート３０が垂直姿勢に姿勢設定されたままでも係止舌片１１２をローラ４３および受けローラ間に対して円滑に出没させることができるようになる。
【００８５】
【発明の効果】
本発明の請求項１記載のウイングロック装置によれば、ウイングの縁部に突設された係止舌片に対して係脱操作を行う舌片係脱機構は、操作プレートが傾斜姿勢に姿勢設定された状態で上記押え部材が退行する一方、操作プレートを垂直姿勢に姿勢変更するに際し、押え部材の進行と、押え部材の退行位置への留保とのいずれか一方を選択的に設定し得るように構成されているため、ウイングの解放後に留保を選択した上で操作プレートを垂直姿勢に姿勢変更することにより、押え部材は退行位置に位置したままで操作プレートをベースプレートに密着した垂直姿勢に姿勢設定することができる。
【００８６】
したがって、傾斜姿勢になっていることによる操作プレートの外部への突出によって操作プレートが邪魔になったり、煽りを降ろしたときに車両の下部の部材と干渉して両者が互いに破損するような不都合を生じさせないようにした上で、つぎの係止舌片の押え操作時には、垂直姿勢の操作プレートを傾斜姿勢に姿勢変更した後、押え部材を進行位置に留める選択をして再度垂直姿勢に戻すことにより、押え部材で係止舌片をロックすることが可能になり、従来のウイングロック装置に比べてロックおよびロック解除の操作性を向上させることができ、操作性が悪いという従来の問題点を解消することができる。
【図面の簡単な説明】
【図１】本発明に係るウイングロック装置の一実施形態を示す分解斜視図である。
【図２】図１に示すウイングロック装置の組立て斜視図であり、操作プレートが垂直姿勢でかつロック姿勢に設定された状態を示している。
【図３】図１に示すウイングロック装置の組立て斜視図であり、操作プレートが傾斜姿勢に姿勢設定された状態を示している。
【図４】図１に示すウイングロック装置の組立て斜視図であり、操作プレートが垂直姿勢でかつロック解除姿勢に設定された状態を示している。
【図５】図３のＡ−Ａ線断面図である。
【図６】姿勢保持構造の一実施形態を示す一部切欠き拡大斜視図である。
【図７】本発明のウイングロック装置の作用を説明するための断面視の説明図であり、（イ）は、操作プレートが垂直姿勢に、摺動体が下降位置に設定された状態、（ロ）は、操作プレートが傾斜姿勢に、摺動体が下降位置に設定された状態をそれぞれ示している。
【図８】本発明のウイングロック装置の作用を説明するための断面視の説明図であり、（イ）は、操作プレートが垂直姿勢に、摺動体が上昇位置に設定された状態、（ロ）は、操作プレートがさらに傾斜方向に操作されることにより第一筋交い部材の水平ロッドが昇降通路に向けて誘導されつつある状態をそれぞれ示している。
【図９】従来のウイングロック装置が適用されたウイング車を例示する斜視図である。
【符号の説明】
１０  ウイングロック装置    ２０  ベースプレート
２１  幅広部                ２２  中間部
２３  幅狭部                ２４  リベット孔
２５  軸受部材              ２５ａ  軸支孔
３０  操作プレート          ３１  縁堰
３２  二股部                ３３  連結アーム
３３ａ  挿通孔              ３４  連結ピン
３５  ガイド長孔            ３６  操作部
３７  ガイド角筒            ３７ａ  嵌装溝
４０  ロック構造            ４１  摺動体
４２  架設軸
４３  ローラ（押え部材）
４４  サポート軸            ４５  第一筋交い部材
４６  筋交いロッド          ４７  水平ロッド
５０  位置設定部材          ５１  ストッパー
５１ａ  底板                ５１ｂ  側板
５２  カム部材              ５２ａ  カム部材本体
５２ｂ  支持凹部
５３  スイングプレート部材  ５３ａ  プレート本体
５３ｂ  ブラケット          ５３ｃ  支持軸
５３ｄ  コイルバネ          ５３ｅ  フォーク部
５４  軸支部材              ５４ａ  係止板
５４ｂ  ブラケット          ５４  上記軸支部材
５５  昇降通路              ６０  援助部材
６１  ガイド支柱            ６２  ガイド溝
６３  第二筋交い部材        ６４  筋交いロッド
６５  水平ロッド            ６６  突出ロッド
７０  姿勢保持構造          ７１  係止ボックス
７２  ボックス本体          ７３  係止突起
７３ａ  傾斜部              ７３ｂ  直立部
７４  被ガイド突起          ７５  付勢構造
７６  引掛け突起            ７７  フック
７８  コイルスプリング      ７９  操作孔
１００  ウイング車          １０８  ウイング
１１２  係止舌片            Ｒ  リベット
【図１】
0004649079.tif 000002
【図２】
0004649079.tif 000003
【図３】
0004649079.tif 000004
【図４】
0004649079.tif 000005
【図５】
0004649079.tif 000006
【図６】
0004649079.tif 000007
【図７】
0004649079.tif 000008
【図８】
0004649079.tif 000009
【図９】
0004649079.tif 000010